(57)【特許請求の範囲】
【請求項１】
（ａ）ジルコニアの安定化剤であるＹ２Ｏ３をジルコニアに対して６〜１２モル％含有し、（ｂ）Ｎｂ２Ｏ５とＹ２Ｏ３のモル比が０．０３〜０．３０の範囲にあるジルコニア質焼結体において、（ｃ）結晶相として第２相が存在しないジルコニア単相からなり、（ｄ）ジルコニア結晶相は立方晶系ジルコニアが９５容積％以上、（ｅ）不可避的不純物の合計量が０．３重量％以下、かつ、ＳｉＯ２含有量が０．０３重量％以下、（ｆ）気孔率が０．５％以下、（ｇ）平均結晶粒径が３〜３０μｍ、（ｈ）最小結晶粒径と平均結晶粒径の比が０．０５以上、であることを特徴とするジルコニア質焼結体からなる焼成用部材。
【発明の詳細な説明】
【技術分野】
【０００１】
本発明は耐食性及び耐久性に優れたジルコニア質焼結体からなる焼成用部材に関する。
【背景技術】
【０００２】
電子部品材料である圧電体、誘電体及び磁性体などの焼成は、これら被焼成体の蒸発成分を極力少なくして組成変動を抑制するため、焼成工程に対して様々な方法の改善や開発が進められている。特に、近年、その発展が目覚ましい情報機器（パソコン、携帯電話、携帯情報端末など）に搭載される高機能電子部品材料は精密な組成制御が必要不可欠なため、焼成に使用する焼成用部材として従来よりも耐食性及び耐久性に優れたセラミックス焼結体が要求されている。中でも、ＰｂＯを含有する圧電体や誘電体などの電子部品材料の焼成工程には、アルミナ質やマグネシア質よりもＰｂＯに対する耐食性が高いジルコニア質が採用されており、従来様々な形態のものが提案されてきた。
【０００３】
例えば安価で汎用性のある耐火物もその一つであるが、耐火物は気孔を多く含むため、この気孔に被焼成体成分が容易に浸透して反応するなど耐食性に劣る問題があった。またアルミナ質、ムライト質、コージェライト質などからなる基材の表面にジルコニア質層をコーティングした２層構造の焼成用部材は、ジルコニア層の剥離を防止するため、種々の改良を施したものが提案されてきた。しかしながら、長期間に亘って繰り返し使用するとジルコニア層と基材の熱膨張差によって生じる剥離の問題は避けられず、剥離した部分に被焼成体成分が浸透して耐食性が劣化するという問題があった。このように例え耐食性の高いジルコニア質であっても、気孔を含む多孔質体や基材表面にジルコニア質層を形成した２層構造体は、耐食性の面で高機能な電子部品材料の焼成工程で使用できるものではなかったため、より耐食性に優れた緻密質ジルコニア質焼結体が採用される傾向にあった。
【０００４】
この緻密質ジルコニア質焼結体は安定化剤としてＹ２Ｏ３、ＣａＯ、ＭｇＯ、ＣｅＯ２等を使用したものが、これまでに数多く提案されており、例えば、特許文献１〜２には、Ｙ２Ｏ３及びＣａＯよりなる群から選ばれた少なくとも１種を安定化剤として使用し、主として立方晶系ジルコニアからなる耐食性並びに耐久性に優れたジルコニア質焼結体が開示されている。これらは従来の電子部品材料の用途で使用できる程度の耐食性並びに耐久性を有するものであったが、精密な組成制御が必要不可欠な高機能な電子部品材料に対しては耐食性や耐久性が十分ではなかった。特にＰｂＯを含有する被焼成体の場合、ＰｂＯが部材側へ浸透して被焼成体の精密な組成制御が不可能となり耐食性に劣るという問題があった。しかも、繰り返し使用するとＰｂＯの浸透が進んで部材表面側にＰｂＯが高濃度で偏析した層が形成され、この層と部材内部との間に生じる熱膨張差で部材に変形やクラックなどが発生して耐久性が低下するという問題があった。
【０００５】
また、特許文献３には、ニオブ及びニオブ系物質の一種又は複数種をジルコニアの安定化剤として使用したイオン伝導性、機械的性質、耐熱性に優れた立方晶系ジルコニア質焼結体が開示されている。しかしながら、ニオブ系物質の一つである五酸化ニオブ（Ｎｂ２Ｏ５）は安定化剤としての効果は低いため、加熱・冷却を数回繰り返すだけで単斜晶へ容易に相転移し、この相転移に伴う体積膨張によって、短期間で変形やクラックが発生して耐久性が低下するという問題があった。特許文献３には立方晶構造が低温域から高温域の全ての温度範囲で安定であると記載されているが、実際には高機能な電子部品材料の焼成用として使用できる程度の熱安定性を有するものでは無く耐久性に劣るものであった。また、ニオブ又はニオブ系物質がジルコニア結晶粒界に存在することにより焼結助剤として働き、機械的性質を向上させることができると記載されているが、ジルコニア結晶粒界に存在しているニオブ又はニオブ系物質、或いはニオブ又はニオブ系物質と他の成分が反応して形成される第２相が被焼成体に侵入したり、被焼成体成分と反応したりするため、被焼成体の精密な組成制御が不可能となり、耐食性や耐久性に劣るものであった。
【０００６】
以上のように、これまでに様々な立方晶系ジルコニアからなる緻密質のジルコニア質焼結体が提案されてきたが、被焼成体の精密な組成制御が可能な耐食性と、長期間に亘って繰り返し使用できる耐久性を有するものは無く、高機能な電子部品材料の焼成に使用する焼成用部材として十分に満足できるものでは無かった。
【先行技術文献】
【特許文献】
【０００７】
【特許文献１】特開２００４−３１５２９３号公報
【特許文献２】特開２００５−８２４２９号公報
【特許文献３】特開平１−１０８１６２号公報
【発明の概要】
【発明が解決しようとする課題】
【０００８】
本発明は、従来の緻密質のジルコニア質焼結体よりも優れた耐食性と耐久性を有するジルコニア質焼結体よりなる焼成用部材の提供を目的とする。
なお、本発明でいう優れた耐食性とは、被焼成体と接触しているジルコニア質焼結体側に被焼成体成分中のＰｂＯが浸透する深さが極めて浅いこと、そして、ジルコニア質焼結体中の成分が被焼成体へ浸透したり、被焼成体成分と反応したりしないことである。優れた耐久性とは長期間に亘って繰り返し使用した際に、ジルコニア質焼結体に変形、クラック及び割れなどが生じないことである。
また、本発明でいうジルコニア質焼結体からなる焼成用部材とは、電子部品材料の焼成に使用するセッター、容器、敷き粉及び治具類、電子部品材料の原料粉末の仮焼合成などに用いる焼成容器などを意味する。
【課題を解決するための手段】
【０００９】
上記課題は、次の発明によって解決される。
「（ａ）ジルコニアの安定化剤であるＹ２Ｏ３をジルコニアに対して６〜１２モル％含有し、（ｂ）Ｎｂ２Ｏ５とＹ２Ｏ３のモル比が０．０３〜０．３０の範囲にあるジルコニア質焼結体において、（ｃ）結晶相として第２相が存在しないジルコニア単相からなり、（ｄ）ジルコニア結晶相は立方晶系ジルコニアが９５容積％以上、（ｅ）不可避的不純物の合計量が０．３重量％以下、かつ、ＳｉＯ２含有量が０．０３重量％以下、（ｆ）気孔率が０．５％以下、（ｇ）平均結晶粒径が３〜３０μｍ、（ｈ）最小結晶粒径と平均結晶粒径の比が０．０５以上、であることを特徴とするジルコニア質焼結体からなる焼成用部材。」
【発明の効果】
【００１０】
本発明によれば、従来の緻密質のジルコニア質焼結体よりも優れた耐食性と耐久性を有するジルコニア質焼結体よりなる焼成用部材を提供できる。特にＰｂＯを含有する被焼成体に対しては、ジルコニア質焼結体側に被焼結体中のＰｂＯが浸透する深さが極めて浅く、ジルコニア質焼結体中の成分が被焼成体に浸透したり、被焼成体成分と反応することのない優れた耐食性を有する。しかも長期間に亘って繰り返し使用した際に、ジルコニア質焼結体に変形、クラック及び割れなどが生じない優れた耐久性を有する。従って、ＰｂＯを含有しない高機能な電子部品材料の焼成用容器やセッター等に好適であることは勿論、セラミック粉末の仮焼合成や成形体の焼成に用いる焼成容器、金属溶解用ルツボ、ガラス溶解用容器、スラグ溶解用容器、単結晶育成用ルツボなどの耐食性や耐久性が必要とされる用途でも有効に利用できる。
【発明を実施するための形態】
【００１１】
以下、上記本発明について詳しく説明する。
本発明者らは前述のような現状に鑑みて鋭意研究を重ねた結果、焼成用部材としてのジルコニア質焼結体が優れた耐食性と耐久性を実現するためには、単に立方晶系ジルコニアであって、焼結密度、結晶粒径及び不純物量などを制御するだけでは不十分であり、これらの要件と合わせて安定化剤に対して特定量のＮｂ２Ｏ５を含有させることが重要であることを見出した。
つまり、ジルコニアに安定化剤を添加すると、安定化剤の陽イオンがジルコニウムイオンと置換して陽イオン格子位置に入り、電気的中性を保つために酸素欠損が形成されることは一般的に知られているが、本発明者らの研究より、酸素欠損が多いジルコニア質焼結体ほど被焼成体中のＰｂＯが部材側へ浸透して耐食性や耐久性が低下することが分かってきたのである。
【００１２】
その一例として、Ｎｂ２Ｏ５を安定化剤として使用した特許文献３には、イオン伝導性を高めるためにジルコニアよりも低原子価の金属酸化物（Ｙ２Ｏ３、ＭｇＯ、ＣａＯ）を固溶させることで、酸素が欠損して多数の酸素イオン空孔（酸素欠損）を導入できることが開示されているが、酸素欠損が多いため耐食性や耐久性が著しく低く、高機能な電子部品材料の焼成用部材として使用できるものでは無かった。
そこで、本発明者らは、優れた耐食性と耐久性を有するジルコニア質焼結体を得るには酸素欠損を低減することが重要であると判断し、鋭意研究を重ねた結果、ジルコニウムイオンよりも価数の高い陽イオンからなる酸化物のＮｂ２Ｏ５を安定化剤に対して極微量の範囲で含有させ、ジルコニア結晶中にその全量を完全に固溶した状態とすれば、安定化剤によって形成された酸素欠損を低減できることを見出した。そして同時に、結晶相として第２相が存在しないジルコニア単相からなり、このジルコニア結晶相を立方晶系ジルコニア主体のものとし、不純物量、気孔率及び平均結晶粒径を制御することにより、従来の立方晶系ジルコニア質焼結体よりも耐食性並びに耐久性を飛躍的に向上させ、高機能な電子部品材料の焼成用として十分使用できるジルコニア質焼結体からなる焼成用部材を完成させた。
【００１３】
次に、本発明の各構成要件について説明する。
（ａ）ジルコニアの安定化剤であるＹ２Ｏ３をジルコニアに対して６〜１２モル％含有する点
本発明では、ジルコニアの安定化剤であるＹ２Ｏ３をジルコニアに対して６〜１２モル％、好ましくは７〜１１モル％含有していることが必要である。なお、ＺｒＯ２原料中には通常、少量のＨｆＯ２が含まれているが、このＨｆＯ２量を含めたＺｒＯ２とＨｆＯ２の合計量をＺｒＯ２量とする。
ジルコニアの安定化剤には従来Ｙ２Ｏ３、ＭｇＯ、ＣａＯ、ＣｅＯ２等が使用されてきたが、Ｙ２Ｏ３以外のＭｇＯ、ＣａＯ、ＣｅＯ２等を使用したものは、ジルコニア結晶相の熱安定性が満足できるものでは無いため、本発明が目的とする優れた耐食性や耐久性を達成できない。したがって本発明では安定化剤としてＹ２Ｏ３を使用する必要がある。
Ｙ２Ｏ３の含有量が６モル％未満では、ジルコニア結晶相として単斜晶系ジルコニアが増加して立方晶系ジルコニアが減少し、耐食性や耐久性の低下を来たす。また、Ｙ２Ｏ３の含有量が１２モル％を越えると、ジルコニアに固溶できなかった余剰のＹ２Ｏ３がＮｂ２Ｏ５と反応し、この反応化合物（例えば、Ｙ３ＮｂＯ７、ＹＮｂＯ４）がジルコニア質焼結体中に第２相として存在することになり、これが被焼成体と反応して耐食性や耐久性を低下させる。
【００１４】
（ｂ）Ｎｂ２Ｏ５とＹ２Ｏ３のモル比（Ｎｂ２Ｏ５／Ｙ２Ｏ３）が０．０３〜０．３０の範囲にある点
本発明では、安定化剤Ｙ２Ｏ３によって形成されたジルコニア質焼結体中の酸素欠損を低減するため、Ｙ２Ｏ３に対して特定量のＮｂ２Ｏ５を含有させる必要がある。そのため、Ｎｂ２Ｏ５とＹ２Ｏ３のモル比は０．０３〜０．３０、好ましくは０．０５〜０．２５の範囲に制御する。
前記モル比が０．０３未満では、Ｙ２Ｏ３に対するＮｂ２Ｏ５量が少ないため、ジルコニア質焼結体の酸素欠損を低減できず、耐食性や耐久性が低下する。また、前記モル比が０．３０を越えると、ジルコニア結晶中に固溶できなかった余剰のＮｂ２Ｏ５がＺｒＯ２やＹ２Ｏ３と反応し、この反応化合物（例えば、Ｚｒ６Ｎｂ２Ｏ１７、Ｙ３ＮｂＯ７、ＹＮｂＯ４）が第２相として存在することになり、これが被焼成体と反応して耐食性や耐久性を低下させる。しかも、Ｎｂ２Ｏ５の添加量が所定量を越えるとジルコニア結晶相を不安定にするため、単斜晶系や正方晶系ジルコニアが増加して立方晶系ジルコニアが減少し、耐食性や耐久性が低下する。
また、Ｙ２Ｏ３に対して前記特定量のＮｂ２Ｏ５を含有させると、ジルコニア結晶中にＮｂ２Ｏ５全量が完全に固溶した状態にすることができる。ジルコニア結晶中にＮｂ２Ｏ５の全量が固溶していない場合、余剰のＮｂ２Ｏ５によって第２相が生成するので、第２相の存在を確認することにより、Ｎｂ２Ｏ５の固溶状態を確認することができる。
【００１５】
（ｃ）結晶相として第２相が存在しないジルコニア単相からなる点
本発明では、結晶相として第２相が存在しないジルコニア単相からなる必要がある。
ジルコニア以外の第２相が存在すると、耐食性や耐久性が低下する。
なお、本発明でいう第２相が存在しないとは、Ｘ線回折において、Ｘ線源：ＣｕＫα、出力：４０ｋＶ／４０ｍＡ、発散スリット：１°、散乱スリット：１°、受光スリット：０．１５ｍｍ、スキャンスピード：３．０°／ｍｉｎ、走査軸：２θ／θ、走査範囲：１０〜７０°、モノクロ受光スリット：０．８ｍｍ、カウンタ：シンチレーションカウンタ、モノクロメーター：自動モノクロメーターという条件で測定した際に、ジルコニア以外の回折ピークが検出されないレベルのことを言う。なお、Ｘ線回折測定には焼結体を鏡面加工仕上げした試料を用いる。
【００１６】
（ｄ）ジルコニア結晶相は立方晶系ジルコニアが９５容積％以上である点
本発明において、ジルコニア結晶相は立方晶系ジルコニアが９５容積％以上である必要がある。
立方晶系ジルコニアが９５容積％未満では、ジルコニア質焼結体中に単斜晶系や正方晶系ジルコニアが多く含まれているため、加熱・冷却した時に、ジルコニア結晶相の相転移に伴う体積膨張によって変形やクラックが発生し、耐久性が低下する。しかも、発生したクラックに被焼成体成分が浸透して、耐食性も低下する。
本発明における立方晶系、正方晶系及び単斜晶系ジルコニアの含有量は、焼結体表面を鏡面にした試料を用いて、Ｘ線回折により、回折角２７〜３３°と７２〜７５．５°の走査範囲で測定し、下記の式より求めることができる。
【００１７】
【数１】
0005931542.tif 000002
【００１８】
なお、Ｘ線回折条件は、Ｘ線源：ＣｕＫα、出力：４０ｋＶ／４０ｍＡ、発散スリット：１／２°（回折角２７〜３３°）、１°（回折角：７２〜７５．５°）、散乱スリット：１／２°（回折角２７〜３３°）、１°（回折角：７２〜７５．５°）、受光スリット：０．１５ｍｍ、スキャンスピード：０．５°／ｍｉｎ、走査軸：２θ／θ、モノクロ受光スリット：０．８ｍｍ、カウンタ：シンチレーションカウンタ、モノクロメーター：自動モノクロメーター、である。
本発明における正方晶系ジルコニアの許容できる含有量は３容積％以下、単斜晶系ジルコニアの許容できる含有量は２容積％以下である。
【００１９】
（ｅ）不可避的不純物の合計量が０．３重量％以下、かつＳｉＯ２含有量が０．０３重量％以下である点
本発明における不可避的不純物とは、使用する原料や製造工程から混入する不純物のことであり、Ａｌ２Ｏ３、ＳｉＯ２、Ｎａ２Ｏ、Ｋ２Ｏ、ＴｉＯ２などを指す。これらの不可避的不純物の合計量は０．３重量％以下、好ましくは０．２重量％以下とする。
前記合計量が０．３重量％を越えると、ジルコニア結晶粒界にガラス相や第２相が多く形成され、このガラス相や第２相が被焼成体と反応して、耐食性や耐久性が低下する。
前記合計量の下限は現状の原料及び製造工程において０．１重量％程度である。
不可避的不純物の中でも特にＳｉＯ２は、被焼成体と容易に反応して耐食性や耐久性を低下させたり、ジルコニア結晶粒界にガラス相や第２相を多く形成して耐食性や耐久性を著しく低下させる要因となる。そのためＳｉＯ２の含有量は０．０３重量％以下とする。下限は現状の原料及び製造工程において０．０１重量％程度である。
【００２０】
（ｆ）気孔率が０．５％以下である点
本発明では、気孔率は０．５％以下、好ましくは０．３％以下とする必要がある。
気孔率が０．５％を越えると、焼結体の気孔が増加し、この気孔に被焼成体成分が浸透して、耐食性や耐久性が低下する。気孔率の下限は０．０１％程度である。なお、本発明における気孔率とは開気孔率を意味し、測定はＪＩＳ  Ｒ  １６３４に準拠して行う。
【００２１】
（ｇ）平均結晶粒径が３〜３０μｍである点
本発明において、ジルコニア質焼結体の平均結晶粒径は３〜３０μｍ、好ましくは５〜２５μｍであることが必要である。
平均結晶粒径が３μｍ未満では、ジルコニア結晶粒界面積が増加するため、この増加した粒界に被焼成体成分が浸透して耐食性や耐久性が低下する。また、平均結晶粒径が３０μｍを越えると、耐食性の低下は来たさないが、耐熱衝撃抵抗性が低下するので好ましくない
本発明における平均結晶粒径は、以下の方法によって測定した値を用いる。
焼結体表面をダイヤモンド砥石及び砥粒を用いて鏡面仕上げし、得られた鏡面に熱エッチングを施し、走査型電子顕微鏡を用いて、視野に１００個以上のジルコニア結晶が観察できる倍率で観察し、写真撮影する。得られた写真から結晶粒子の長径と短径を測定し、粒子径＝（長径＋短径）／２として結晶粒子１個の粒子径を求める。このようにして無作為に１００個の結晶粒子の粒子径を求め、その平均値を平均結晶粒径とする。
【００２２】
（ｈ）最小結晶粒径と平均結晶粒径の比（最小結晶粒径／平均結晶粒径）が０．０５以上である点
本発明では、最小結晶粒径と平均結晶粒径の比は、０．０５以上、好ましくは０．０８以上であることが必要である。この数値が大きいほど最小結晶粒径と平均結晶粒径の差が小さいことになる。
前記比が０．０５未満では、最小結晶粒径と平均結晶粒径の差が大きく広がるため、焼結体中に細かいジルコニア結晶が多く存在することになり、耐食性が低下する。しかも、繰り返し使用時に短期間で変形が発生して耐久性も低下する。なお、前記比の上限は０．４０程度である。
【００２３】
本発明における最小結晶粒径は、以下の方法によって測定した値を用いる。
焼結体表面をダイヤモンド砥石及び砥粒を用いて鏡面仕上げし、得られた鏡面に熱エッチングを施し、走査型電子顕微鏡を用いて、視野に１００個以上のジルコニア結晶が観察できる倍率で観察し、写真撮影する。得られた写真から結晶粒子の長径と短径を測定し、粒子径＝（長径＋短径）／２として結晶粒子１個の粒子径を求める。このようにして無作為で１００個の結晶粒子の粒子径を求め、測定した１００個の粒子径の中で最小値を示す粒子径を最小結晶粒径とする。
このようにして測定した最小結晶粒径と、前述した（ｇ）で測定した平均結晶粒径から最小結晶粒径／平均結晶粒径を求める。
【００２４】
本発明におけるジルコニア質焼結体及びそれよりなる焼成用部材は種々の方法で作製できるが、その一例について説明する。
ジルコニア原料粉末には、純度が９９．７重量％以上、平均粒子径が１０μｍ以下のものを用いる。純度が９９．７重量％未満の場合、原料粉末中に含まれる不純物量が多いため、焼結体中の不純物量も多くなり、耐食性や耐久性が低下するため好ましくない。また平均粒子径が１０μｍを越える場合、粉砕・混合・分散の処理時間が長くなり、粉砕機からの摩耗による不純物が多く混入して、耐食性や耐久性が低下するため好ましくない。平均粒子径の下限は３μｍ程度である。
【００２５】
Ｙ２Ｏ３原料粉末には、純度が９９．７重量％以上、平均粒子径が５μｍ以下のものを用いる。純度が９９．７重量％未満の場合、原料粉末中に含まれる不純物量が多いため、焼結体中の不純物量も多くなり、耐食性や耐久性が低下するため好ましくない。また平均粒子径が５μｍを越える場合、Ｙ２Ｏ３原料粉末が粗いために他の原料粉末との混合・分散が不十分となり、焼結体中に単斜晶系ジルコニアが多くなるため好ましくない。平均粒子径の下限は０．５μｍ程度である。
【００２６】
安定化剤として用いるＹ２Ｏ３は水酸化物等の化合物の形態で添加しても良いが、その場合は、予め所定量のＹ２Ｏ３量となるようにジルコニアとＹ２Ｏ３原料を乾式混合又は湿式混合し、乾燥した後、１０００〜１４００℃で合成する。なお、酸化物の形態であるＹ２Ｏ３を用いる場合には合成を行っても省略しても良い。
また、ジルコニアとＹ２Ｏ３の含有量が所定のモル比となるように、ジルコニア化合物（例えばオキシ塩化ジルコニウム）の水溶液とイットリウム化合物（例えば塩化イットリウム）の水溶液を均一に混合し、加水分解して水和物を得、脱水、乾燥した後、４００〜１２００℃で仮焼して、不純物の少ない粉体を得る方法も採用することができる。
【００２７】
Ｎｂ２Ｏ５原料粉末には、純度が９９．７重量％以上、平均粒子径が５μｍ以下のものを用いる。純度が９９．７重量％未満の場合、原料粉末中に含まれる不純物量が多いため、焼結体中の不純物量も多くなり、耐食性や耐久性が低下するため好ましくない。また、平均粒子径が５μｍを越える場合、Ｎｂ２Ｏ５原料粉末が粗いために他の原料粉末との混合・分散が進まず、焼結体中に第２相が存在することになるため好ましくない。平均粒子径の下限は０．５μｍ程度である。
また、ジルコニア、Ｙ２Ｏ３及びＮｂ２Ｏ５原料粉末中のＳｉＯ２含有量は０．０３重量％以下である。これらの原料粉末中のＳｉＯ２含有量が０．０３重量％を越えると、ジルコニア質焼結体中のＳｉＯ２含有量が多くなり、耐食性や耐久性の低下を来たすことになる。
【００２８】
以上の原料粉末を用いて所定の組成になるように配合し、湿式で公知のボールミル及び媒体撹拌ミル等の粉砕機により、水又は有機溶媒を用いて、粉砕・混合・分散の処理を行う。なお、粉砕機の内張材及びアームなどの部材や、粉砕機に充填するボールからの摩耗粉の混入を防止するため、これら部材及びボールの材質は耐摩耗性に優れたセラミックス材料などを使用する。特にジルコニア製部材及びボールが好ましい。
粉砕・混合・分散処理により処理粉体の平均粒子径を、０．３〜２．０μｍ、好ましくは０．３〜１．８μｍにする。処理粉体の平均粒子径が０．３μｍ未満では、処理粉体が非常に細かくなるため、結晶粒径分布が広くなりやすく、その結果、最小結晶粒径と平均結晶粒径の差が大きく広がるため好ましくない。また処理粉体の平均粒子径が２．０μｍを越えると、処理粉体中に粒子径の大きい粗い粉体が多く含まれるため、気孔率が高くなって、耐食性や耐久性の低下を来たし好ましくない。
粉砕・混合・分散処理後の処理粉体の平均粒子径の制御は、粉砕・混合・分散時の「粉体濃度」「使用するボール径や充填量」「処理時間」などを適宜調整して行う。これらの調整は当業者が適宜実施しうる程度の事項である。なお、本発明における原料粉末及び処理粉体の平均粒子径とは、一次粒子が凝集した二次粒子の粒子径の平均値のことであり、レーザー回折式粒度分布測定装置で測定することができる。
【００２９】
前記処理粉体を用いて成形体を作製する。成形方法としてプレス成形、ラバープレス成形等の方法を採用する場合、粉砕・混合・分散スラリーに、必要に応じて公知の成形助剤（例えばアクリル系樹脂、ＰＶＡ等）を添加し、スプレードライヤー等の公知の方法で乾燥させて成形用粉体を作製し、この成形用粉体を金型やゴム型などに充填して成形する。また、鋳込み成形法を採用する場合には、粉砕・混合・分散スラリーに必要により公知のバインダー（例えばワックスエマルジョン、アクリル系樹脂等）を添加し、石膏型又は樹脂型を用いて排泥鋳込法、充填鋳込法、加圧鋳込法により成形する。さらに押出成形法を採用する場合は、得られた粉砕・混合・分散スラリーを乾燥し整粒して、押出成形用バインダー（カルボキシルメチルセルロース、ワックスエマルジョン等の公知のバインダーが使用できる）と水又は有機溶媒を添加して混合し、土練して成形用坏土とする。この成形用坏土を用いて、公知の押出成形機により、所定の形状になるように押出成形する。
【００３０】
以上のようにして得た成形体を、大気中、焼成温度１５５０〜１７５０℃で焼成する。焼成温度が１５５０℃未満では、平均結晶粒径が３μｍ未満となり、耐食性や耐久性が低下するため好ましくない。また、焼成温度が１７５０℃を越えると、焼結体の平均結晶粒径が３０μｍを越えて耐久性が低下するため好ましくない。
【実施例】
【００３１】
以下、実施例及び比較例により本発明を更に具体的に説明するが、本発明は、これらの実施例によって何ら限定されるものではない。
【００３２】
実施例１〜８、比較例１〜１３
原料粉末として、ジルコニア含有量が９９．８重量％、ＳｉＯ２含有量が０．０２重量％、平均粒子径４μｍであるジルコニア原料粉末と、Ｙ２Ｏ３含有量が９９．９重量％、ＳｉＯ２含有量が０．０１重量％、平均粒子径４μｍのＹ２Ｏ３原料粉末と、Ｎｂ２Ｏ５含有量が９９．９重量％、ＳｉＯ２含有量が０．０１重量％、平均粒子径１．５μｍのＮｂ２Ｏ５原料粉末を用いた。
なお、比較例７はジルコニア含有量が９８．２重量％、ＳｉＯ２含有量が０．０２重量％、平均粒子径８μｍのジルコニア純度の低いジルコニア原料粉末を使用した。
比較例８はＹ２Ｏ３含有量が９９．９重量％、ＳｉＯ２含有量が０．０１重量％、平均粒子径９μｍの粒子径が大きいＹ２Ｏ３原料粉末を使用した。
比較例９はＮｂ２Ｏ５含有量が９９．９重量％、ＳｉＯ２含有量が０．０１重量％、平均粒子径８μｍの粒子径が大きいＮｂ２Ｏ５原料粉末を使用した。
比較例１３はジルコニア含有量が９９．５重量％、ＳｉＯ２含有量が０．０７重量％、平均粒子径５μｍのＳｉＯ２含有量が多いジルコニア原料粉末を使用した。
【００３３】
Ｙ２Ｏ３原料粉末とＮｂ２Ｏ５原料粉末を、表１に示すＹ２Ｏ３含有量（モル％）及びＮｂ２Ｏ５／Ｙ２Ｏ３モル比となるように配合し、溶媒に水を使用し、ジルコニア製のボールミルとボールを使用して粉砕・混合・分散処理を行った。得られた処理粉体について、レーザー回折式粒度分布測定装置（マイクロトラックＭＴ３３００ＥＸ、日機装社製）を用いて平均粒子径を測定した。その結果を表１に示す。なお、平均粒子径の制御は粉砕・混合・分散の処理時間により行った。
処理後のスラリーにＰＶＡ系バインダーを１重量％添加し、スプレードライヤーで乾燥して成形用粉体を得た。得られた成形用粉体を、金型を用いて１ｔｏｎｆ／ｃｍ２の圧力でプレス成形し、大気中、１５２０〜１７８０℃の範囲で焼成して、板状焼結体を作製した。得られた焼結体特性を表１に示す。
実施例１〜８は本発明の範囲内の焼結体であり、比較例１〜１３は本発明の要件を少なくとも一つ満たさない焼結体である。
【００３４】
各焼結体について、以下のようにして、耐食性及び耐久性を評価した。
なお、耐食性及び耐久性の評価において、セラミックス製重しを載せて応力をかけたのは、被焼成体（ＰｂＯ及びＰＺＴ）との反応を促進させるためである。
＜耐食性の評価＞
耐食性の評価に用いる被焼成体はＰｂＯ（酸化鉛）を採用した。市販のＰｂＯ粉末（純度：９９％以上）を用いて金型プレス成形で直径１０ｍｍ、厚さ１ｍｍに成形した成形体を、前記各板状焼結体（１５ｍｍ×１５ｍｍ×３ｍｍ）の上に載せ、更にＰｂＯ成形体にセラミックス製の重しを載せて１ｋＰａの応力をかけ、８７０℃で２０時間保持した。テスト後の焼結体の断面を鏡面仕上げし、光学顕微鏡により断面部の変色層厚みを測定した。その結果を表１に示す。
【００３５】
＜耐久性の評価＞
耐久性の評価には、電子部品材料の成分の一つであるＰＺＴ（チタン酸ジルコン酸鉛）を採用した。市販のＰＺＴ粉末（純度：９９％以上）を直径１０ｍｍ、厚さ１ｍｍに成形した成形体を、前記各板状焼結体（１５ｍｍ×１５ｍｍ×３ｍｍ）の上に載せ、更にＰＺＴ成形体にセラミックス製の重しを載せて１ｋＰａの応力をかけ、１３００℃で５時間保持する操作を２０サイクルまで行い、サイクルごとに各板状焼結体の変形、クラック及び割れの発生の有無を確認した。その結果を表１に示す。
なお、表中の数値は、変形、クラック及び割れが発生した時のサイクル数であり、実施例における「２０＜」は、２０サイクルでも変形、クラック及び割れが発生しなかったことを意味する。
【００３６】
【表１】
0005931542.tif 000003
【００３７】
比較例１は、Ｎｂ２Ｏ５を含有しない従来技術に属するジルコニア質焼結体（例えば、特許文献１〜２）の例である。
比較例２は、Ｙ２Ｏ３含有量が６モル％未満のため、立方晶系ジルコニアが９５容積％未満となった例である。
比較例３は、Ｙ２Ｏ３含有量が１２モル％を越えたため第２相が存在する例である。
比較例４は、Ｎｂ２Ｏ５／Ｙ２Ｏ３モル比が０．０３未満のため、Ｎｂ２Ｏ５の効果が十分に得られない例である。
比較例５は、Ｎｂ２Ｏ５／Ｙ２Ｏ３モル比が０．３０を越えたため、第２相が存在し、立方晶系ジルコニア量も少ない例である。
比較例６は、粉砕・混合・分散後の処理粉体の平均粒子径が２．０μｍを越えたため、気孔率が高くなった例である。
比較例７は、純度の低いジルコニア原料粉末を使用したため、ジルコニア質焼結体中の不可避的不純物の合計量が多くなった例である。
比較例８は、平均粒子径５μｍを越えるＹ２Ｏ３原料粉末を使用したため、焼結体中に単斜晶系ジルコニアが多くなり立方晶系ジルコニアが少なくなった例である。
比較例９は、平均粒子径５μｍを越えるＮｂ２Ｏ５原料粉末を使用したため、焼結体中に第２相が存在する例である。
比較例１０は、焼成温度が１５５０℃未満のため、平均結晶粒径が小さくなった例である。
比較例１１は、焼成温度が１７５０℃を越えているため、平均結晶粒径が大きくなった例である。
比較例１２は、粉砕・混合・分散後の処理粉体の平均粒子径が０．３μｍ未満であるため、最小結晶粒径と平均結晶粒径の比が小さくなった例である。
比較例１３は、ＳｉＯ２含有量の多いジルコニア原料粉末を使用したため、ジルコニア質焼結体中のＳｉＯ２含有量が０．０３重量％を越えた例である。
【００３８】
表１中の耐食性の評価結果から分かるように、実施例のジルコニア質焼結体は、断面の変色層厚み（ＰｂＯの浸食深さ）が６００μｍ以下という優れた耐食性を示し、高機能な電子部品材料の焼成用部材として使用可能なものであった。
これに対し、比較例のジルコニア質焼結体は、比較例１１を除いて変色層厚みが６００μｍを越え、耐食性に劣るため、高機能な電子部品材料の焼成用として使用できるものでは無かった。
また、表１中の耐久性の評価結果から分かるように、実施例のジルコニア質焼結体は、２０サイクルの繰り返し試験でも、板状焼結体に変形、クラック及び割れが生じることは無く、優れた耐久性を示し、高機能な電子部品材料の焼成用として使用可能なものであった。
これに対し、比較例のジルコニア質焼結体は、２０サイクルに到達する前に変形、クラック及び割れが発生し、耐久性に劣るため、高機能な電子部品材料の焼成用として使用できるものでは無かった。